(57)【要約】無線装置でハンドオーバスキャン手順を起動するための、方法、情報処理システム、および無線通信システム。方法は、無線装置（１０８）によって送信される第１の信号強度測定値（６０６）を監視するステップを含む。局所的に測定される無線装置（１０８）に関連する第２の信号強度測定値が監視される（６０６）。また、方法は、第１の信号強度および第２の信号強度の測定値を監視することに応答して、スキャン事象トリガが検出されているかどうかを判断するステップを含む（６０８）。検出されているスキャン事象トリガに応答して、スキャン起動メッセージが無線装置（１０８）に送信される。スキャン起動メッセージは、ハンドオーバスキャン手順を実施するように無線装置（１０８）に通知する。
2011505757.tif 000002
【特許請求の範囲】
【請求項１】
無線装置でハンドオーバスキャン手順を起動する方法であって、
無線装置によって送信される第１の信号強度測定値を監視すること、
局所的に測定される前記無線装置に関連する第２の信号強度測定値を監視すること、
前記第１の信号強度および前記第２の信号強度の測定値の監視に応答して、スキャン事象トリガが検出されているかどうかを判断すること、
スキャン事象トリガが検出されていることに対応して、ハンドオーバスキャン手順を実施するように前記無線装置に通知するスキャン起動メッセージを前記無線装置に送信すること、
を備える方法。
【請求項２】
前記無線装置のモビリティ能力を判断すること、
判断されている前記モビリティ能力に応答してスキャン閾値を前記無線装置に関連付けること、
該スキャン閾値が満たされたとき前記無線装置にハンドオーバスキャン手順を起動するよう指示する前記スキャン閾値を前記スキャン起動メッセージとともに前記無線装置に送信すること、
をさらに備える、請求項１に記載の方法。
【請求項３】
前記第１の信号強度測定値はダウンリンク送信経路で前記無線装置から受信され、前記第２の信号強度測定値はアップリンク送信経路に基づいて局所的に測定される、請求項１に記載の方法。
【請求項４】
無線装置でハンドオーバスキャン手順を起動できる情報処理システムであって、
ネットワーク・アダプタ・ハードウェアと、
メモリに通信可能に結合されたプロセッサを備える処理ユニットと、
を備え、
前記処理ユニットは、
無線装置によって送信される第１の信号強度測定値を監視し、
局所的に測定される前記無線装置に関連する第２の信号強度測定値を監視し、
前記第１の信号強度および前記第２の信号強度の測定値に応答して、スキャン事象トリガが検出されているかどうかを判断し、
スキャン事象トリガが検出されていることに応答して、前記ネットワーク・アダプタ・ハードウェアを介して、ハンドオーバスキャン手順を実施するように前記無線装置に通知するスキャン起動メッセージを前記無線装置に送信するように構成されている、情報処理システム。
【請求項５】
前記処理ユニットは、
前記無線装置のモビリティ能力を判断し、
判断されている前記モビリティ能力に応答してスキャン閾値を前記無線装置に関連付け、
該スキャン閾値が満たされているときハンドオーバスキャン手順を起動するよう前記無線装置に指示する前記スキャン閾値を前記スキャン起動メッセージとともに前記無線装置に送信するようにさらに構成されている、請求項４に記載の情報処理システム。
【請求項６】
前記第１の信号強度測定値が局所的に測定される前記第２の信号強度測定値に等しいかあるいはこれよりも小さいかに応答して、前記無線装置マネジャは、スキャン事象トリガが検出されていると判断する、請求項４に記載の情報処理システム。
【請求項７】
前記第１の信号強度測定値はダウンリンク送信経路に対して前記無線装置から受信され、前記第２の信号強度測定値はアップリンク送信経路に基づいて局所的に測定される、請求項４に記載の情報処理システム。
【請求項８】
無線通信システムであって、
複数の基地局と、
複数の無線装置であって、各無線装置は前記複数の基地局における少なくとも１つの基地局に通信可能に結合される、前記複数の無線装置と、
前記複数の基地局における少なくとも１つの基地局に通信可能に結合された少なくとも１つの情報処理システムと、
を備え、
前記情報処理システムは、
ネットワーク・アダプタ・ハードウェアと、
メモリに通信可能に結合されたプロセッサを備える処理ユニットと、
を備え、
前記処理ユニットは、
無線装置によって送信される第１の信号強度測定値を監視し、
局所的に測定される前記無線装置に関連する第２の信号強度測定値を監視し、
前記第１の信号強度および前記第２の信号強度の測定値に応答して、スキャン事象トリガが検出されているかどうかを判断し、
スキャン事象トリガが検出されていることに応答して、ハンドオーバスキャン手順を実施するように前記無線装置に通知するスキャン起動メッセージを前記無線装置に送信する、無線通信システム。
【請求項９】
前記処理ユニットは、
前記無線装置のモビリティ能力を判断し、
判断されている前記モビリティ能力に対応してスキャン閾値を前記無線装置に関連付け、
スキャン閾値が満たされているとき前記無線装置にハンドオーバスキャン手順を起動するよう指示する前記スキャン閾値を前記スキャン起動メッセージとともに前記無線装置に送信するようにさらに構成されている、請求項７に記載に無線通信システム。
【請求項１０】
前記第１の信号強度測定値はダウンリンク送信経路に対して前記無線装置から受信され、前記第２の信号強度測定値はアップリンク送信経路に基づいて局所的に測定される、請求項８に記載に無線通信システム。
【発明の詳細な説明】
【技術分野】
【０００１】
本発明は、一般に、無線通信の分野に関し、具体的には、無線通信ネットワーク内の無線装置用ハンドオーバ手順に関する。
【背景技術】
【０００２】
ＩＥＥＥ  ８０２．１６規格を利用する無線通信ネットワークなどの様々な無線通信ネットワークでは、無線装置がセルを識別するためのスキャン手順を起動することができる。無線装置は、無線装置でハンドオーバ手順を起動しうるセルを識別する。１つの問題は、無線装置により起動されるスキャンを可能ならしめる現在のネットワークにおいて、無線装置は搬送波対干渉・雑音比（「Carrier-to-Interference-plus-Noise-Ratio：ＣＩＮＲ」）、受信信号強度インジケータ（「Received Signal Strength Indicator：ＲＳＳＩ」）、および往復遅延（「Round Trip Delay：ＲＴＤ」）が、基地局に対するスキャン要求を起動するために、対応スキャン閾値以下になるまで待つ必要があることである。完全なモバイルである無線装置は、ハンドオーバが確実に行なわれる基地局との範囲内にもはやない場合があるので、これは問題を含んでいる。たとえば、基地局にスキャン要求を送信する帯域幅要求レンジングを実施するときに新たに２０〜５０フレームが必要となる可能性がある。多くの場合、このタイムフレームは完全移動無線装置が通話を維持するには大きすぎる。
【発明の概要】
【発明が解決しようとする課題】
【０００３】
したがって、前述のような先行技術に関する問題を克服する必要性が存在する。
【課題を解決するための手段】
【０００４】
簡単に言えば、本発明に従って開示されるのは、無線装置でハンドオーバスキャン手順を起動するための、方法、情報処理システム、および無線通信システムである。方法は、無線装置によって送信される第１の信号強度測定値を監視することを含む。局所的に測定される無線装置に関連する第２の信号強度測定値が監視される。また、方法は、第１の信号強度および第２の信号強度の測定値を監視することに対応して、スキャン事象トリガが検出されているかどうかを判断することを含む。検出されているスキャン事象トリガに対応して、ハンドオーバスキャン手順を実施するように無線装置に通知するスキャン起動メッセージが無線装置に送信される。
【０００５】
別の実施形態において、情報処理システムが無線装置でハンドオーバスキャン手順を起動する。情報処理システムは、ネットワーク・アダプタ・ハードウェアと、メモリに通信可能に結合されたプロセッサを備える処理ユニットとを含む。処理ユニットは、無線装置によって送信される第１の信号強度測定値を監視するように構成されている。局所的に測定される無線装置に関連する第２の信号強度測定値が監視される。また、処理ユニットは、第１の信号強度および第２の信号強度の測定値を監視することに対応して、スキャン事象トリガが検出されているかどうかを判断するように構成されている。検出されているスキャン事象トリガに対応して、ハンドオーバスキャン手順を実施するように無線装置に通知するスキャン起動メッセージが無線装置に送信される。
【０００６】
さらに別の実施形態において、無線通信システムが開示される。無線通信システムは、複数の基地局および複数の無線装置を含む。各無線装置は、複数の基地局における少なくとも１つの基地局に通信可能に結合される。また、無線通信システムは、複数の基地局における少なくとも１つの基地局に通信可能に結合された少なくとも１つの情報処理システムを含む。情報処理システムは、ネットワーク・アダプタ・ハードウェアと、メモリに通信可能に結合されたプロセッサを備える処理ユニットとを含む。処理ユニットは、無線装置によって送信される第１の信号強度測定値を監視するように構成されている。局所的に測定される無線装置に関連する第２の信号強度測定値が監視される。また、処理ユニットは、第１の信号強度および第２の信号強度の測定値を監視することに対応して、スキャン事象トリガが検出されているかどうかを判断するように構成されている。検出されているスキャン事象トリガに対応して、ハンドオーバスキャン手順を実施するように無線装置に通知するスキャン起動メッセージが無線装置に送信される。
【０００７】
本発明の前述の実施形態の長所は、基地局が無線装置においてハンドオーバスキャン手順を起動できることである。基地局は、要求されていないスキャンメッセージを無線装置に送信することができ、それにより無線装置が、弱信号の検出に対応してスキャン要求を送信せずにスキャニング手順を起動できる。本発明の少なくとも１つの実施形態の別の長所は、基地局による事前スキャン起動が全ハンドオーバ待ち時間を短縮することである。このため、完全移動無線装置の通話停止率が減少し得る。
【図面の簡単な説明】
【０００８】
【図１】本発明の一実施形態に従って無線通信システムを示すブロック図である。
【図２】無線装置によって起動される従来のハンドオーバスキャン手順を示すトランザクション図である。
【図３】本発明の一実施形態に従って基地局によって無線装置で起動されるハンドオーバスキャン手順を示すトランザクション図である。
【図４】本発明の一実施形態に従って無線装置の詳細図を示すブロック図である。
【図５】本発明の一実施形態に従ってサイトコントローラの詳細図を示すブロック図である。
【図６】本発明の一実施形態に従って無線装置でハンドオーバ手順を起動する基地局のプロセスを示す動作流れ図である。
【発明を実施するための形態】
【０００９】
添付図は、別々の図全体を通じて同様の参照符号が同等の要素または機能的に類似した要素を指しており、以下の詳細な説明とともに、本明細書に組み込まれて本明細書の一部を形成し、本発明に全面的に従って、様々な実施形態をさらに示し、様々な原理および長所を説明する目的を果たす。
【００１０】
本発明の詳細な実施形態は、本明細書において要求に応じて開示されるが、開示された実施形態は様々な形で具体化されうる本発明の単なる例であることが理解されるべきである。したがって、本明細書で開示される特定の構造的および機能的な詳細は、限定的なものとして解釈されるべきではなく、特許請求の範囲のための単なる基盤として、また実質的にその場に合った詳細構造で本発明をさまざまに採用すべく当業者を教示するための代表的な基盤として解釈されるべきである。さらに、本明細書で使用される用語と表現法は、限定を意図するものではなく、むしろ、本発明を分かりやすく説明するものである。
【００１１】
本明細書で使用される用語「複数」は、２つまたは２つ以上と定義される。本明細書で使用される「別の」は、少なくとも２番目またはそれ以上と定義される。用語「含む」および／または「有する」は、「備える」（すなわち、オープンランゲージ）と定義される。本明細書で使用される用語「結合された」は、「接続された」と定義されるが、必ずしも直接的でなく、必ずしも機械的でない。
【００１２】
用語「無線通信装置」は、無線を使って信号を受信することができ、オプションとして無線を使って信号を送信することができ、さらに無線通信システムで動作する可能性のある複数の種類の装置を広く網羅することを意図するものである。たとえば、何の制限もない場合、無線通信装置とは、セル方式の携帯無線電話、携帯電話、スマートフォン、送受信兼用の無線機、双方向ポケットベル、無線メッセージ装置、ノート型パソコン、車載ゲートウェイ、および住宅用ゲートウェイのいずれか１つまたは組合せを含みうる。
【００１３】
無線通信システム
本発明の一実施形態によると、図１は無線通信システム１００の例を示す。図１は、特に、回路サービスネットワーク１０４および／またはパケット・データ・ネットワーク１０６などの１つまたは複数のアクセスネットワークを備える無線通信ネットワーク１０２を示す。一実施形態において、パケット・データ・ネットワーク１０６は、従来の回路サービスネットワークよりもはるかに高い転送速度のデータ接続を提供するＩＰまたはＳＩＰベースの接続性ネットワークである。パケット・データ・ネットワーク１０６は、Ｅｖｏｌｕｔｉｏｎ  Ｄａｔａ  Ｏｎｌｙ（「ＥＶ−ＤＯ」）ネットワーク、汎用パケット無線システム（「General Packet Radio Service：ＧＰＲＳ」）ネットワーク、ユニバーサル・モバイル・テレコミュニケーション・システム（「Universal Telecommunications System：ＵＭＴＳ」）ネットワーク、８０２．１１ネットワーク、８０２．１６（ＷｉＭａｘ）ネットワーク、イーサネット接続性、ダイアルアップモデム接続性などを備えうる。回路サービスネットワーク１０４は、とりわけ、音声サービスを無線装置１０２に提供する。回路サービスネットワーク１０４およびパケット・データ・ネットワーク１０６などのアクセスネットワークは、コントローラ、トランスポート／相互接続装置、ネットワーク管理モジュールなどの追加要素（図示せず）、および当業者に周知であるべき他のネットワーク要素を含むことに留意されたい。
【００１４】
ネットワーク１０４、１０６によって利用される１つまたは複数の通信規格は、符号分割多重アクセス（「Code Division Multiple Access：ＣＤＭＡ」）、時分割多重アクセス（「Time Division Multiple Access：ＴＤＭＡ」）、グローバル・システム・フォー・モバイル・コミュニケーションズ（「ＧＳＭ」）、汎用パケット無線通信システム（「General Packet Radio Service：ＧＰＲＳ」）、周波数分割多重アクセス（「Frequency Division Multiple Access：ＦＤＭＡ」）、ＩＥＥＥ  ８０２．１６規格ファミリ、直交周波数分割多重（「ＯＦＤＭ」）、直交周波数分割多重アクセス（「Orthogonal Frequency Division Multiple Access：ＯＦＤＭＡ」）、無線ＬＡＮ（「ＷＬＡＮ」）、ＷｉＭａｘなどを備えていてもよい。他の適用可能な通信規格として、地上基盤無線（「Terrestrial Trunked Radio：ＴＥＴＲＡ」）を含む、公安通信ネットワークに使用される規格が挙げられる。各アクセスネットワーク１０４、１０６は、別々の無線サービスプロバイダによって所有され運用されうる。あるいは、２つまたはそれ以上のネットワーク１０４、１０６が同じ無線サービスプロバイダによって所有され運用されうる。
【００１５】
無線通信システム１００は、単一モード装置またはマルチモード装置でありうる任意数の無線装置１０８をサポートする。マルチモード装置は、異なる技術を用いた複数のアクセスネットワーク上で通信することができる。たとえば、マルチモード装置は、プッシュ・トゥ・トーク（「ＰＴＴ」）、プッシュ・トゥ・トーク・オーバ・セルラ（「ＰｏＣ」）、マルチメディアメッセージング、ウェブブラウジング、ＶｏＩＰ、およびマルチメディアストリーミングなど、様々なサービスを用いてアクセスネットワーク１０４、１０６上で通信することができる。一実施形態において、無線装置１０８は、以下でさらに詳しく説明されるスキャンモジュール１１０を含む。
【００１６】
また、無線システム１００は、サイトコントローラ１１４に通信可能に結合された１つまたは複数の基地局１１２を含む。各サイトコントローラ１１４は、一実施形態において、スキャン起動モジュール１２４を備える無線装置マネジャ１１６を含み、これらはともに以下でさらに詳しく説明される。また、装置プロファイル１１８は、サイトコントローラ１１４内に含まれる。一実施形態において、装置プロファイル１１８は、ＡＡＡ（認証（Ａｕｔｈｅｎｔｉｃａｔｉｏｎ）、許可（Ａｕｔｈｏｒｉｚａｔｉｏｎ）、および課金処理（Ａｃｃｏｕｎｔｉｎｇ））情報、モビリティ情報、および他の関連情報を含みうる。ＷｉＭａｘを背景として、種々のモビリティプロファイルは、たとえば、固定（Ｆｉｘｅｄ）／不定（Ｎｏｍａｄｉｃ）（モビリティのサポートなし）、移動可能（Ｐｏｒｔａｂｌｅ）、単一（Ｓｉｍｐｌｅ）、完全（Ｆｕｌｌ）（０〜１２０ｋｐｈの範囲の種々の車両速度でサポートされたモビリティ）を含みうる。サイトコントローラ１１４は、装置プロファイル１１８をホーム・ロケーション・レジスタ、ホーム加入者サーバーなどのレジスタ（図示せず）から検索することができる。モビリティ情報は、たとえば、無線装置が移動可能であること、単一モビリティを有すること、および完全モビリティを有することを示すことができる。
【００１７】
また、無線通信システム１００は、ゲートウェイ１２２を介して無線通信ネットワーク１０２に通信可能に結合された中央サーバーなど、１つまたは複数の情報処理システム１２０を含む。情報処理システム１２０は、無線ネットワーク１０２上で通信するすべての無線装置１０８に関する情報を保管して処理する。さらに、各情報処理システム１２０は、無線通信装置１０８を広域ネットワーク１２６、ローカル・エリア・ネットワーク１２８、および公衆交換電話網１３０に無線通信ネットワーク１０２を介して通信可能に結合する。これらのネットワークの各々は、マルチメディア・テキスト・メッセージ（ただし、これに限定されない）などのデータを無線装置１０８に送信する機能を有する。
【００１８】
一実施形態において、サイトコントローラ１１４の無線装置マネジャ１１６は、無線装置１０８においてそのスキャン起動モジュール１２４を介してスキャン手順を起動することができる。たとえば、スキャン起動モジュール１２４は、無線装置１０８に送信されるスキャンメッセージを生成することができる。このスキャンメッセージは、無線装置１０８にハンドオーバスキャン手順を起動するよう指示する。スキャンメッセージは、様々な事象に基づいて無線装置１０８に送信されうる。一実施形態において、無線装置マネジャ１１６は、無線装置１０８が基地局１１２に登録されていることを検出する。所与の期間後、スキャン起動モジュール１２４は、スキャンメッセージを無線装置１０８に送信する。本実施形態において、無線装置１０８が「最良の」基地局に登録されるかどうかを判断するハンドオーバスキャン手順を起動するように、スキャンメッセージは無線装置１０８に送信される。換言すると、スキャンは、別の基地局が現在の基地局よりも優れた通信環境（たとえば、より広い帯域幅、より少ない干渉、および／または他の通信の利点）を提供しうるかどうかを判断するために無線装置１０８において起動される。
【００１９】
別の実施形態において、スキャンメッセージを無線装置１０８にいつ送信するかを決定するために、搬送波対干渉・雑音比（「ＣＩＮＲ」）および受信信号強度インジケータ（「ＲＳＳＩ」）が使用される。ＩＥＥＥ  ８０２．１６規格において、受信信号の測定電力であるＲＳＳＩと、所望の信号電力と付加白色ガウス雑音（「ＡＷＧＮ」）およびその他の無用な干渉の両方を含む雑音電力との比である搬送波対干渉・雑音比ＣＩＮＲとの測定が行なわれる。これらの測定値は、典型的に、空中での干渉資源管理（ａｉｒ  ｉｎｔｅｒｆｅｒｅｎｃｅ  ｒｅｓｏｕｒｃｅ  ｍａｎａｇｅｍｅｎｔ）のために基地局１１２に返送される。
【００２０】
本実施形態において、無線装置マネジャ１１６は、ダウンリンクに対して無線装置１０８によって送信されるＣＩＮＲと、アップリンクに基づくＲＳＳＩ／ＣＩＮＲとを監視して、無線装置によるスキャンを事前にいつ起動するか（すなわち、スキャンメッセージを送信するか）を決定する。一実施形態において、無線装置マネジャ１１６は、ＣＩＮＲおよびＲＳＳＩ情報を１つまたは複数のスキャニング閾値に対して監視する。所与の閾値の値よりも小さいかそれに等しいＣＩＮＲおよびＲＳＳＩ値などのスキャントリガ事象が検出されると、スキャン起動モジュール１２４は無線装置１０８に送信されるスキャンメッセージを生成する。スキャン事象トリガは、一実施形態において、搬送波対干渉雑音比、受信信号強度表示、および往復遅延などの測定されたチャネル条件に基づいている。
【００２１】
スキャン事象トリガのいくつかの事例は、ＣＩＮＲベースのＴｘＡＡに対するチャネル測定（Ｃｈａｎｎｅｌ  Ｓｏｕｎｄｉｎｇ）、ＭＩＭＯチャネル状態フィードバック、選択されたＭＣＳである。無線装置スキャンモジュール１１０は、無線装置１０８からスキャンメッセージを受信し、ハンドオーバスキャン手順を実施する。スキャンを起動するためのＣＩＮＲおよびＲＳＳＩの使用法の１例は以下の通りである。すなわち、基地局がデータスケジューリングを目的とする無線装置とさらに装置プロファイル１１８とによって報告されるチャネル測定値を使用する。これらのチャネル測定値は、ＲＳＳＩまたはＣＩＮＲ、あるいはその両方のいずれかをベースとする測定値でありうる。また、基地局１１２は、設定パラメータに基づくスキャン事象トリガと、加入者端末または無線装置によって提供される１つまたは複数のフィードバック数値指標（ｆｅｅｄｂａｃｋ  ｍｅｔｒｉｃｓ）とに応答してスキャンを起動しうる。
【００２２】
種々のスキャン閾値が、それぞれの装置プロファイル１１８で識別される無線装置１０８のモビリティ能力に基づいて無線装置１０８と関連付けられうる。たとえば、「移動可能」と定義されるモバイル能力を有する無線装置は、「完全モバイル」と定義されるモビリティ能力を有する装置に対する閾値と異なるスキャン閾値と関連付けられうる。一実施形態において、無線装置マネジャ１１６は、スキャン閾値を装置のモビリティ能力に基づくスキャンメッセージとともに無線装置１０８に送信する。本実施形態において、無線装置１０８は、そのスキャンモジュール１０８を介して、基地局１１２から受信するスキャンメッセージおよびスキャン閾値に基づいてハンドオーバスキャン手順を開始する。
【００２３】
前述の説明から分かるように、本発明の様々な実施形態によると、基地局１１２は、無線装置１０８においてハンドオーバスキャン手順を起動しうる。基地局１１２は、要求されていないスキャンメッセージを無線装置１０８に送信し、これによって、無線装置１０８は弱信号の検出に応答してスキャン要求を送信せずに、スキャン手順を起動することができる。これは、本発明以前には得られなかった長所である。本発明の様々な実施形態のもう１つの長所は、基地局１１２による事前のスキャン起動がハンドオーバ待ち時間全体を短縮することである。これによって、完全移動無線装置１０８の通話停止率が減少する。
【００２４】
無線装置によって起動される従来のスキャニングを示すタイミング図
図２は、無線装置によって起動される従来のハンドオーバスキャン手順を示すタイミング図である。時刻Ｔ０において、無線装置は、スキャン閾値が満たされていると判断してＳＣＮ−ＲＥＱメッセージを基地局に送信する。時刻Ｔ１において、競合ベースの帯域幅要求手順が無線装置と基地局との間で実施される。競合ベースの帯域幅要求手順には、複数の加入者が単一チャネルを目指してＵＬ資源を要求することを含む。これは、専用帯域幅割当に比べて時間がかかる手順である。時刻Ｔ２において、基地局はＵＬ（アップリンク）ＭＡＰ  ＵＬ割当を無線装置に送信する。時刻Ｔ３において、無線装置は、基地局にＭＯＢ＿ＳＣＮ−ＲＥＱ（スキャン要求）を送信することによって応答する。基地局はスキャン要求を無線装置から受信し、時刻Ｔ４において、ＭＯＢ＿ＳＣＮ−ＲＳＰ（スキャン起動メッセージ）を無線装置に送信する。
【００２５】
時刻Ｔ５において、無線装置は、ハンドオーバスキャンを実施する。Ｔ６において、無線装置は、基地局にＭＯＢ＿ＳＣＮ−ＲＥＰ／ＭＯＢ＿ＭＳＨＯ−ＲＥＱを送信することによって応答する。ＭＯＢ＿ＳＣＮ−ＲＥＰは、無線装置が基地局にチャネル測定値を提供するために使用するモバイル・スキャン・レポートである。換言すれば、無線装置は、ハンドオーバしたいセルを検出しており、ハンドオーバ要求をその現在の基地局に送信する。基地局は、ＭＯＢ＿ＢＳＨＯ−ＲＳＰを無線装置に送信することによって応答する。ＭＯＢ＿ＢＳＨＯ−ＲＳＰは、要求されたセルへのハンドオーバが受け入れられることを無線装置に示す基地局ハンドオーバ応答である。
【００２６】
このスキャン手順は、多くの欠点を有する。たとえば、ＷｉＭａｘシステムのハンドオーバ準備において、ハンドオーバ制御メッセージに関する１５０ｍｓの待ち時間が存在しうる。これは、通話停止率が４０％〜６０％増加することにつながる可能性がある。無線装置がスキャンを起動する場合、スキャニングに最大１５０ｍｓを要する可能性がある。５０ｍｓの迂回中継遅延が存在する場合、スキャン待ち時間によって通話不完了が４０％〜６０％増加する。従来のシステムでは、通常、無線装置によって起動されるスキャンを受け入れるためにスキャン閾値待ち時間を設定する。これは、無線装置が常にスキャンしているので、サービス品質（ＱＯＳ）の妥協につながる。
【００２７】
基地局装置によって起動される事前スキャンを示すタイミング図
図３は、本発明の一実施形態に従って、基地局１１２によって無線装置１０８で起動される事前スキャンを示すタイミング図である。時刻Ｔ０において、基地局１１２は、ダウンリンクに対して無線装置１０８から受信されるチャネル状態と、アップリンクで測定されるチャネル状態とを分析して、スキャンを無線装置１０８でいつ起動するかを決定する。ＴｘＡＡに対するＣＩＮＲベースのチャネル音声化などのスキャン事象トリガが満たされると、サイトコントローラ１１４における無線装置マネジャ１１６は、時刻Ｔ１において無線装置１０８にＭＯＢ＿ＳＣＮ−ＲＳＰ（スキャン応答メッセージ）を送信する。
【００２８】
無線装置１０８は、スキャン応答メッセージを受信し、その後、時刻Ｔ２において、ハンドオーバスキャン手順を実施する。ハンドオーバスキャン手順を終了した後、時刻Ｔ３において、無線装置は、その現在の基地局１１２にＭＯＢ−ＳＣＮ−ＲＥＰ／ＭＯＢ＿ＭＳＨＯ−ＲＥＱ（ハンドオーバ要求）を送信する。時刻Ｔ４において、基地局１１２は、ＭＯＢ＿ＢＳＨＯ−ＲＳＰ（基地局ハンドオーバ応答）で応答する。基地局ハンドオーバ応答は、本例に従って、要求されたセルへのハンドオーバが受け入れられるか否かを無線装置１０８に示す。図から分かるように、基地局は無線装置においてハンドオーバスキャンを起動することができ、これは本発明の実施形態の長所である。基地局１１２は、要求されていないスキャンメッセージを無線装置１０８に送信することができ、これによって無線装置１０８は弱信号の検出に対応してスキャン要求を送信せずにスキャニング手順を起動することができる。基地局によるこの事前スキャン起動は、ハンドオーバ待ち時間および通話停止率全体を抑制する。
【００２９】
無線装置
図４は、本発明の一実施形態に従って、無線装置１０８の詳細図を示すブロック図である。読者は無線通信装置を熟知しているものと仮定する。本説明を簡単にするために、本発明に関係している無線通信装置の部分のみが説明される。無線装置１０８は、無線通信信号の送受信を制御する装置コントローラ／プロセッサ４０２の制御の下で動作する。受信モードにおいて、装置コントローラ４０２は、アンテナ４０４を送信／受信スイッチ４０６を介してレシーバ４０８に電気的に結合する。レシーバ４０８は、受信信号をデコードし、これらのデコードされた信号を装置コントローラ４０２に提供する。
【００３０】
送信モードにおいて、装置コントローラ４０２は、アンテナ４０４を送信／受信スイッチ４０６を介してトランスミッタ４１０に電気的に結合する。一実施形態において、レシーバ４０８およびトランスミッタ４１０は、種々の無線インターフェースタイプを提供する様々なアクセスネットワーク上で受信／送信するデュアル・モード・レシーバおよびデュアル・モード・トランスミッタである。別の実施形態において、無線インターフェースタイプの各々に対して別個のレシーバおよびトランスミッタが使用される。
【００３１】
装置コントローラ４０２は、メモリ４１２に記憶された命令に従って、トランスミッタおよびレシーバを動作させる。これらの命令は、たとえば、周辺セルの測定スケジュールアルゴリズムを含む。メモリ４１２は、一実施形態において、スキャンモジュール１１０を含む。無線装置１０８は、さらに、たとえば、無線装置１０８での実行を待つアプリケーション（図示せず）を記憶する不揮発性記憶メモリ４１４を含む。
【００３２】
情報処理システム
図５は、サイトコントローラ１１４内に備えられるような情報処理システム５１４のさらに詳細な図を示すブロック図である。情報処理システム５１４は、本発明の実施形態を実現するように適合された適切な構成の処理システムに基づいている。たとえば、パーソナルコンピュータ、ワークステーションなどのこうしたコンピュータシステムが使用されてもよい。情報処理システム５１４はコンピュータ５０２を含む。コンピュータ５０２は、メインメモリ５０６、大量記憶インターフェース５０８、マン・マシン・インターフェース５１０、およびネットワーク・アダプタ・ハードウェア５１２に接続されるプロセッサ５０４を有する。システムバス５２０がこれらのシステム構成要素を相互接続する。
【００３３】
メインメモリ５０６は、少なくとも無線装置マネジャ１１６を含む。無線装置マネジャ１１６は、前述のように、スキャン起動モジュール１２４を含みうる。また、メモリ５０６は、前述の装置プロファイル１１８を含みうる。メインメモリ５０６のそれぞれの構成要素は、メインメモリ５０６に同時に常駐するものとして示されてはいるが、いつもあるいは同時であれ、メインメモリ５０６に完全常駐する必要はないことは明らかである。これらの１つまたは複数の構成部品はハードウェアとして実装されうる。
【００３４】
コンピュータ５０２に関して唯一のＣＰＵ５０４が示されているが、複数のＣＰＵを有するコンピュータシステムが同様に効果的に使用されうる。本発明の様々な実施形態は、各々がＣＰＵ５０４からの処理をオフロードするために使用される単独の完全プログラムされたマイクロプロセッサを含むインターフェースをさらに組み込んでいる。マン・マシン・インターフェース５１０により、技術者、管理者、およびユーザは、情報処理システム５１４に直接的に接続することができる。
【００３５】
ネットワーク・アダプタ・ハードウェア５１２は、無線通信ネットワーク１０２、インターネットなどの公共ネットワーク、および／または別のネットワークへのインターフェースを提供するために使用される。本発明の様々な実施形態は、今日のアナログおよび／またはディジタル技術を含む任意のデータ通信接続によって、あるいは将来のネットワーク機構を介して機能するように適合されうる。本発明の実施形態は完全に機能的なコンピュータシステムを背景として説明されているが、様々な実施形態は、たとえば、フロッピーディスク、ＣＤ／ＤＶＤなどの記録可能な媒体形態を介した、あるいは任意のタイプの電子伝送機構を介したプログラム製品として配布されうることを当業者は理解するであろう。
【００３６】
無線装置でハンドオーバスキャン手順を起動するプロセス
図６は、無線装置１０８でハンドオーバ手順を起動する基地局のプロセスを示す動作流れ図である。図６の動作流れ図は、ステップ６０２で始まり、直ちにステップ６０４に進む。ステップ６０４において、無線装置マネジャ１１６は無線装置１０８が無線ネットワーク１０２に登録されていることを判断する。ステップ６０６において、無線装置マネジャ１１６は、無線装置１０８によって送信されるＣＩＮＲ情報（第１の信号強度測定値）と、サイトコントローラ１１４によって測定されるＲＳＳＩ／ＣＩＮＲ情報（第２の信号強度測定値）とを監視する。
【００３７】
ステップ６０８において、無線装置マネジャ１１６はスキャン事象トリガが検出されているかどうかを判断する。たとえば、無線装置マネジャ１１６は、測定された信号強度情報が所与の閾値の値よりも小さいか、あるいはこれに等しいかを判断する。一例において、無線装置マネジャ１１６は、無線装置１０８によって送信される第１の信号強度測定値が局所的に測定される第２の信号強度測定値よりも小さいか、あるいはこれに等しいかを判断する。この判断の結果が否定的であれば、無線装置マネジャ１１６はスキャン事象トリガに対する監視を続ける。この判断の結果が肯定的であれば、ステップ６１０において、無線装置マネジャ１１６は、スキャン事象トリガが検出されていると判断し、それに応じて、無線装置１０８のモビリティ能力を判断する。ステップ６１２において、スキャン閾値が、装置の決定されたモビリティ能力に基づいて無線装置１０８に関連付けられる。ステップ６１４において、基地局１１２を介したサイトコントローラ１１４は、スキャン応答メッセージを無線装置１０８に送信する。スキャン応答メッセージは、スキャン閾値を含み、スキャン事象はハンドオーバスキャン手順を開始するように無線装置１０８をトリガする。この後、制御の流れはステップ６１６で終了する。
【００３８】
非限定的な例
本発明の特定の実施形態が開示されているが、本発明の趣旨および範囲から逸脱することなく特定の実施形態に対して変更がなされうることを当業者は理解するであろう。したがって、本発明の範囲は特定の実施形態に限定されるものではなく、添付の特許請求の範囲が本発明の範囲内のあらゆる用途、変更、および実施形態を網羅するものである。
【図１】
2011505757.tif 000003
【図２】
2011505757.tif 000004
【図３】
2011505757.tif 000005
【図４】
2011505757.tif 000006
【図５】
2011505757.tif 000007
【図６】
2011505757.tif 000008
【国際調査報告】
2011505757.tif 000009
2011505757.tif 000010